(57)【要約】【課題】蓋部によって覆われることにより外部に露出しなくなる被覆部を有する携帯端末において、蓋部が被覆部を覆っているかどうかを簡易な構成で判断する。【解決手段】基板配線１０と、コネクタカバー４０に設けられたコネクタカバー配線４１と、バッテリーカバー５０に設けられたバッテリーカバー配線５１とを介してＬＳＩ６０のポート端子６１ａ，６１ｂが互いに導通しているかどうかにより、コネクタカバー４０及びバッテリーカバー５０が外部インターフェースコネクタ２０及びバッテリー装着部３０をそれぞれ覆っているかどうかを判断する。【選択図】図２
2012191540.tif 000002
【特許請求の範囲】
【請求項１】
蓋部と、該蓋部によって覆われることにより外部に露出しなくなる被覆部とを有する携帯端末において、
第１及び第２の端子を具備する制御部と、
前記蓋部に設けられた蓋部側配線と、
前記蓋部が前記被覆部を覆った場合に前記蓋部側配線と導通することにより、前記第１の端子と前記第２の端子とを導通させる本体側配線とを有し、
前記制御部は、前記第１の端子と前記第２の端子とが導通しているかどうかによって、前記蓋部が前記被覆部を覆っているかどうかを判断することを特徴とする携帯端末。
【請求項２】
請求項１に記載の携帯端末において、
前記制御部は、前記第１の端子から所定の信号を出力し、該所定の信号が前記第２の端子に入力されているかどうかによって、前記蓋部が前記被覆部を覆っているかどうかを判断する携帯端末。
【請求項３】
請求項１に記載の携帯端末において、
前記制御部は、前記第２の端子に入力される電圧値の急激な変動を検知することによって、前記蓋部が前記被覆部を覆っているかどうかを判断する携帯端末。
【請求項４】
請求項１乃至３のいずれか１項に記載の携帯端末において、
前記制御部は、前記蓋部が前記被覆部を覆っていないと判断した場合に警告を出力する携帯端末。
【請求項５】
請求項１乃至４のいずれか１項に記載の携帯端末において、
前記被覆部は、外部機器が接続されるインターフェース部である携帯端末。
【請求項６】
請求項１乃至４のいずれか１項に記載の携帯端末において、
前記被覆部は、バッテリーが装着されるバッテリー装着部である携帯端末。
【請求項７】
請求項１乃至４のいずれか１項に記載の携帯端末において、
前記被覆部を複数有し、
前記本体側配線は、前記複数の被覆部の全てが前記蓋部によって覆われた場合に前記第１の端子と前記第２の端子とを導通させる携帯端末。
【請求項８】
請求項７に記載の携帯端末において、
前記複数の被覆部のそれぞれは、照度を検出する照度センサを有し、
前記制御部は、前記照度センサにおける検出結果に基づいて、前記複数の被覆部のうち前記蓋部によって覆われていない被覆部を特定する携帯端末。
【請求項９】
請求項１乃至８のいずれか１項に記載の携帯端末において
前記携帯端末は防水機能を有し、前記蓋部が前記被覆部を覆うことにより防水機能が発揮される携帯端末。
【発明の詳細な説明】
【技術分野】
【０００１】
本発明は、携帯電話機等の携帯端末に関し、特に、蓋部によって覆われることにより外部に露出しなくなる被覆部を有し、この被覆部が蓋部によって覆われているかどうかを判断する技術に関する。
【背景技術】
【０００２】
現在、携帯電話機は、情報交換や情報収集の面から、生活にはなくてはならないツールとなりつつある。このような携帯電話機は、世の中に登場した当時は、通話機能しか有していないものがほとんどであったが、近年では、一般のパーソナルコンピュータと同様に、電子メールを送信したり、インターネットに接続したりすることができるようになっている。また、防水機能を有するものも一般的である。
【０００３】
ところで、このような携帯電話機等の携帯端末においては、イヤホンやマイク、さらには、カードスロット等の外部機器が接続されるインターフェース部や、バッテリーが装着されるバッテリー装着部が設けられているが、それらの部分においては、防水機能を発揮させるために、通常は蓋部によって覆われた構成となっている。そして、外部機器を接続する際やバッテリーを交換する際に蓋部を開けることになるが、蓋部が開いた状態では十分な防水機能が発揮されないため、蓋部が開いたままになっている場合、回路破壊を招いてしまう虞れがある。
【０００４】
そこで、イヤホン等のコネクタ部が蓋部によって覆われる携帯機器において、イヤホン等のコネクタ部に、蓋部の開閉状態を検出するスイッチを設け、それにより、蓋部が開いた状態を通知する技術が考えられている（例えば、特許文献１，２参照）。この技術を用いれば、蓋部が開けっ放しとなっている状態が通知されるため、上述したような事象の発生を回避することができる。
【先行技術文献】
【特許文献】
【０００５】
【特許文献１】特開２００９−１５９４０３号公報
【特許文献２】特開２００９−２１３０７３号公報
【発明の概要】
【発明が解決しようとする課題】
【０００６】
しかしながら、上述した技術においては、イヤホン等のコネクタ部に、蓋部の開閉状態を検出するスイッチを設けることになるため、スイッチの種類によってはその構造が複雑になってしまうという問題点がある。
【０００７】
本発明は、上述したような技術が有する問題点に鑑みてなされたものであって、蓋部によって覆われることにより外部に露出しなくなる被覆部を有する携帯端末において、蓋部が被覆部を覆っているかどうかを簡易な構成で判断することができる携帯端末を提供することを目的とする。
【課題を解決するための手段】
【０００８】
上記目的を達成するために本発明は、
蓋部と、該蓋部によって覆われることにより外部に露出しなくなる被覆部とを有する携帯端末において、
第１及び第２の端子を具備する制御部と、
前記蓋部に設けられた蓋部側配線と、
前記蓋部が前記被覆部を覆った場合に前記蓋部側配線と導通することにより、前記第１の端子と前記第２の端子とを導通させる本体側配線とを有し、
前記制御部は、前記第１の端子と前記第２の端子とが導通しているかどうかによって、前記蓋部が前記被覆部を覆っているかどうかを判断することを特徴とする。
【発明の効果】
【０００９】
以上説明したように本発明は、本体側配線と蓋部に設けられた蓋部側配線とを介して制御部の第１の端子と第２の端子とが導通しているかどうかにより、蓋部が被覆部を覆っているかどうかを判断する構成としたため、蓋部が被覆部を覆っているかどうかを簡易な構成で判断することができる。
【図面の簡単な説明】
【００１０】
【図１】本発明の携帯端末の実施の一形態を示す外観図である。
【図２】図１に示した携帯電話機において外部インターフェースコネクタ及びバッテリー装着部がコネクタカバー及びバッテリーカバーによってそれぞれ覆われた状態を示す図であり、（ａ）は接続概略図、（ｂ）はそのブロック図である。
【図３】図１に示した携帯電話機の動作を説明するための図である。
【図４】図１に示した携帯電話機の動作を説明するためのフローチャートである。
【図５】本発明の携帯端末の他の実施の形態を示す図である。
【発明を実施するための形態】
【００１１】
以下に、本発明の実施の形態について図面を参照して説明する。
【００１２】
図１は、本発明の携帯端末の実施の一形態を示す外観図である。
【００１３】
本形態は図１に示すように、外部機器が接続されるインターフェース部となる外部インターフェースコネクタ２０と、バッテリーが取り外し可能に装着されるバッテリー装着部３０とを有する携帯電話機１であり、外部インターフェースコネクタ２０及びバッテリー装着部３０がそれぞれ本発明における被覆部となる。外部インターフェースコネクタ２０は、蓋部となるコネクタカバー４０によって覆うことにより外部に露出しない状態とすることができ、また、バッテリー装着部３０は、バッテリーが装着された後、蓋部となるバッテリーカバー５０によって覆うことにより外部に露出しない状態とすることができる。そして、この携帯電話機１は、防水機能を有し、外部インターフェースコネクタ２０及びバッテリー装着部３０が、コネクタカバー４０及びバッテリーカバー５０によってそれぞれ覆われて密閉性が保たれることによって防水機能が発揮される。
【００１４】
外部インターフェースコネクタ２０には、金属等の導通性を有する２つのコネクタ側端子２２ａ，２２ｂが設けられており、また、バッテリー装着部３０には、金属等の導通性を有する２つのバッテリー装着部端子３２ａ，３２ｂが設けられている。
【００１５】
また、コネクタカバー４０には、コネクタカバー４０によって外部インターフェースコネクタ２０を覆った場合にコネクタ側端子２２ａ，２２ｂに当接する領域に、それぞれ金属等の導通性を有するコネクタカバー端子４２ａ，４２ｂが設けられているとともに、これらを両端とした蓋部側配線となるコネクタカバー配線４１が設けられている。
【００１６】
また、バッテリーカバー５０には、バッテリーカバー５０によってバッテリー装着部３０を覆った場合にバッテリー装着部端子３２ａ，３２ｂに当接する領域に、それぞれ金属等の導通性を有するバッテリーカバー端子５２ａ，５２ｂが設けられているとともに、これらを両端とした蓋部側配線となるバッテリーカバー配線５１が設けられている。
【００１７】
図２は、図１に示した携帯電話機１において外部インターフェースコネクタ２０及びバッテリー装着部３０がコネクタカバー４０及びバッテリーカバー５０によってそれぞれ覆われた状態を示す図であり、（ａ）は接続概略図、（ｂ）はそのブロック図である。
【００１８】
図２（ａ）に示すように、図１に示した携帯電話機１においては、携帯電話機１の動作を制御する制御部となるＬＳＩ６０が内蔵されており、このＬＳＩ６０のポート端子６１ａ，６１ｂには本体側配線となる基板配線１０が接続されている。なお、ＬＳＩ６０のポート端子６１ａ，６１ｂのいずれか一方が本発明における第１の端子となり、他方が本発明における第２の端子となる。基板配線１０は、ＬＳＩ６０のポート端子６１ａとコネクタ側端子２２ａとを接続し、また、コネクタ側端子２２ｂとバッテリー装着部端子３２ａとを接続し、また、バッテリー装着部端子３２ｂとＬＳＩ６０のポート端子６１ｂとを接続している。
【００１９】
そして、図１に示した携帯電話機１において外部インターフェースコネクタ２０がコネクタカバー４０によって覆われると、コネクタ側端子２２ａ，２２ｂとコネクタカバー端子４２ａ，４２ｂとが当接した状態となり、また、バッテリー装着部３０がバッテリーカバー５０によって覆われると、バッテリー装着部端子３２ａ，３２ｂとバッテリーカバー端子５２ａ，５２ｂとが当接した状態となる。それにより、図２（ｂ）に示すように、ＬＳＩ６０のポート端子６１ａとポート端子６１ｂとが、基板配線１０、コネクタ側端子２２ａ，２２ｂ、コネクタカバー端子４２ａ，４２ｂ、コネクタカバー配線４１、バッテリー装着部端子３２ａ，３２ｂ、バッテリーカバー端子５２ａ，５２ｂ及びバッテリーカバー配線５１を介して互いに導通した状態となる。
【００２０】
以下に、上記のように構成された携帯電話機１の動作について説明する。
【００２１】
図３は、図１に示した携帯電話機１の動作を説明するための図であり、図４は、図１に示した携帯電話機１の動作を説明するためのフローチャートである。
【００２２】
携帯電話機１の通常状態（待ち受け状態等）においては、消費電流を減らすためＬＳＩ６０内部にてＰＵＬＬＤＯＷＮ状態となっている（ステップ１）。
【００２３】
そして、ワンセグ機能やメール機能等の各種機能の起動時に（ステップ２）、その起動に連動して、ＬＳＩ６０内部にて瞬間的にＰＵＬＬＵＰ状態とし（ステップ３）、ＬＳＩ６０のポート端子６１ａから所定の信号となるＨｉｇｈ信号を出力する（ステップ４）。
【００２４】
ＬＳＩ６０においては、ポート端子６１ａからＨｉｇｈ信号を出力するとともに、ポート端子６１ｂの電圧を監視する。上述したように、図１に示した携帯電話機１において外部インターフェースコネクタ２０及びバッテリー装着部３０がコネクタカバー４０及びバッテリーカバー５０によってそれぞれ覆われた状態においては、ＬＳＩ６０のポート端子６１ａとポート端子６１ｂとが、基板配線１０、コネクタ側端子２２ａ，２２ｂ、コネクタカバー端子４２ａ，４２ｂ、コネクタカバー配線４１、バッテリー装着部端子３２ａ，３２ｂ、バッテリーカバー端子５２ａ，５２ｂ及びバッテリーカバー配線５１を介して互いに導通した状態となっているため、ポート端子６１ａから出力されたＨｉｇｈ信号はポート端子６１ｂにて検出されることになる。
【００２５】
そのため、ＬＳＩ６０において、ポート端子６１ｂの電圧がＨｉｇｈとなっている場合は（ステップ５）、外部インターフェースコネクタ２０及びバッテリー装着部３０がコネクタカバー４０及びバッテリーカバー５０によってそれぞれ覆われていると判断し（ステップ６）、利用者に対する通知は行わない（ステップ７）。
【００２６】
一方、図１に示した携帯電話機１において外部インターフェースコネクタ２０がコネクタカバー４０によって覆われていない、または、バッテリー装着部３０がバッテリーカバー５０によって覆われていない状態においては、ＬＳＩ６０のポート端子６１ａからポート端子６１ｂまでの基板配線１０、コネクタ側端子２２ａ，２２ｂ、コネクタカバー端子４２ａ，４２ｂ、コネクタカバー配線４１、バッテリー装着部端子３２ａ，３２ｂ、バッテリーカバー端子５２ａ，５２ｂ及びバッテリーカバー配線５１を介した経路にて断線が生じていることになるため、ポート端子６１ａから出力されたＨｉｇｈ信号はポート端子６１ｂにて検出されることはない。
【００２７】
そのため、ＬＳＩ６０において、ポート端子６１ｂの電圧がＨｉｇｈとなっていない場合は、外部インターフェースコネクタ２０とバッテリー装着部３０との少なくとも一方がコネクタカバー４０またはバッテリーカバー５０によって覆われていないと判断し（ステップ８）、その旨をポップ表示にて警告として出力して利用者に通知する（ステップ９）。
【００２８】
これにより、外部インターフェースコネクタ２０とバッテリー装着部３０との少なくとも一方がコネクタカバー４０またはバッテリーカバー５０によって覆われておらずに密閉性が保たれていない旨を利用者に通知することができる。そして、利用者は、防水機能が正常に発揮されていない旨を認識することができ、水進入起因の回路破壊を防止することができる。
【００２９】
（他の実施の形態）
図５は、本発明の携帯端末の他の実施の形態を示す図である。
【００３０】
本形態は図５に示すように、外部インターフェースコネクタ２０及びバッテリー装着部３０のそれぞれに、照度を検出する照度センサ２３，３３が設けられており、その他の構成については、図１に示したものと同様である。
【００３１】
上記のように構成された携帯電話機１０１においては、ＬＳＩ６０において、ポート端子６１ｂの電圧がＨｉｇｈとなっていない場合に、それをトリガーとして照度センサ２３，３３を起動させ、照度センサ２３，３３にて検出される照度を確認する。そして、照度センサ２３にて検出された照度が所定値以上である場合は、外部インターフェースコネクタ２０がコネクタカバー４０によって覆われていないと判断し、また、照度センサ３３にて検出された照度が所定値以上である場合は、バッテリー装着部３０がバッテリーカバー５０によって覆われていないと判断する。これにより、ＬＳＩ６０において、外部インターフェースコネクタ２０とバッテリー装着部３０のいずれかがコネクタカバー４０またはバッテリーカバー５０によって覆われていないかを特定する。そして、その旨をポップ表示にて出力することにより、利用者に、外部インターフェースコネクタ２０とバッテリー装着部３０とのそれぞれについて、コネクタカバー４０またはバッテリーカバー５０によって覆われているかどうかを通知することができる。
【００３２】
なお、上述した実施の形態においては、ＬＳＩ６０のポート端子６１ａから出力されたＨｉｇｈ信号がポート端子６１ｂに入力されたかどうかに基づいて、インターフェースコネクタ２０及びバッテリー装着部３０がコネクタカバー４０及びバッテリーカバー５０によってそれぞれ覆われているかどうかを判断しているが、ＬＳＩ６０のポート端子６１ａから所定のパルス信号を出力し、そのパルス信号がポート端子６１ｂに入力されたかどうかに基づいて判断する等、ＬＳＩ６０のポート端子６１ａから出力される信号がポート端子６１ｂに入力されているかどうかを検出すれば、ＬＳＩ６０のポート端子６１ａから出力される信号はＨｉｇｈ信号に限らない。
【００３３】
また、インターフェースコネクタ２０及びバッテリー装着部３０がコネクタカバー４０及びバッテリーカバー５０によってそれぞれ覆われている状態から、外部インターフェースコネクタ２０とバッテリー装着部３０との少なくとも一方がコネクタカバー４０またはバッテリーカバー５０によって覆われていない状態になると、ポート端子６１ｂにて検出される電圧に急激な変動が生じるため、その急激な変動を検知することによって、外部インターフェースコネクタ２０とバッテリー装着部３０との少なくとも一方がコネクタカバー４０またはバッテリーカバー５０によって覆われていない状態になったと判断することも考えられる。
【００３４】
また、携帯端末として携帯電話機１０１を例に挙げて説明したが、本発明はこれに限らず、被覆部が蓋部によって覆われて使用されるものであればよく、防水機能を有するものにも限定されない。
【符号の説明】
【００３５】
１    携帯電話機
２    Ｈｉｇｈ信号
１０    基板配線
２０    外部インターフェースコネクタ
２２ａ，２２ｂ    コネクタ側端子
２３，３３    照度センサ
３０    バッテリー装着部
３２ａ，３２ｂ    バッテリー装着部端子
４０    コネクタカバー
４１    コネクタカバー配線
４２ａ，４２ｂ    コネクタカバー端子
５０    バッテリーカバー
５１    バッテリーカバー配線
５２ａ，５２ｂ    バッテリーカバー端子
６０    ＬＳＩ
６１ａ，６１ｂ    ポート端子
【図１】
2012191540.tif 000003
【図２】
2012191540.tif 000004
【図３】
2012191540.tif 000005
【図４】
2012191540.tif 000006
【図５】
2012191540.tif 000007